(57)【要約】      （修正有）【課題】船舶のフレーム（骨格部材）のような強度構造を用いることなく、避難した人を収容する本体部分の強度を確保することができる水上浮揚型避難設備を提供する。【解決手段】矩形状の底板、底板の対向する二辺に位置する一対の第１側板２３、底板の他の対向する二辺に位置する一対の第２側板２４を有し、人を収容可能な空間を内部に有する本体と、本体の第１側板及び第２側板の板厚よりも幅広の板材であって、第１側板及び第２側板の上端に固定される枠板２６と、本体の底板の上面及び第１側板の内面に固定される複数の階段側板２７、複数の階段側板の間に設けられる踏板２８を有し、本体の内側の対向する位置であって各第１側板に対し設けられ、本体の内部への人の出入りを可能とする階段２９と、を備える水上浮揚型避難設備単体を複数並設してなり、第１側板同士が隣接する状態で、複数の水上浮揚型避難設備単体を連結して一体とする。【選択図】図１
0003213339.tif 000002
【実用新案登録請求の範囲】
【請求項１】
矩形状の底板、前記底板の対向する二辺に位置する一対の第１側板、前記底板の他の対向する二辺に位置する一対の第２側板を有し、人を収容可能な空間を内部に有する本体と、
前記本体の前記第１側板及び前記第２側板の板厚よりも幅広の板材であって、前記第１側板及び前記第２側板の上端にＴ字状又はＬ字状に固定される枠板と、
前記本体の前記底板の上面及び前記第１側板の内面に固定される複数の階段側板、複数の前記階段側板の間に設けられる踏板を有し、前記本体の内側の対向する位置であって各第１側板に対し設けられ、前記本体の内部への人の出入りを可能とする階段と、
を備える水上浮揚型避難設備単体を複数並設してなり、
第１側板同士が隣接する状態で、複数の前記水上浮揚型避難設備単体を連結して一体とすることを特徴とする連結式の水上浮揚型避難設備。
【請求項２】
複数の前記水上浮揚型避難設備単体は、
前記階段の前記階段側板が、前記底板の上面、前記第１側板の内面、及び前記第１側板の上端に固定され該第１側板から前記本体の内側へ庇状に突出する前記枠板の下面に固定される請求項１記載の連結式の水上浮揚型避難設備。
【請求項３】
複数の前記水上浮揚型避難設備単体は、前記本体がいずれも二重底構造であり、前記本体の前記底板は内底板である請求項１又は２記載の連結式の水上浮揚型避難設備。
【請求項４】
複数の前記水上浮揚型避難設備単体を連結して一体とした後の四隅であって前記枠板上には棒材を立設し、前記本体の外周であって各側板の外面には前記枠板に平行に手摺を設けてなる請求項１乃至３のいずれかに記載の連結式の水上浮揚型避難設備。
【請求項５】
平行な二辺を有する底板、及び前記底板の前記平行な二辺に位置する一対の側板、前記底板の前記平行な二辺以外の側縁に位置する側板を有し、人を収容可能な空間を内部に有する本体と、
前記本体の各側板の板厚よりも幅広の板材であって、前記各側板の上端に固定される枠板と、
前記本体の前記底板の上面及び前記底板の前記平行な二辺に位置する前記側板の内面に固定される複数の階段側板、複数の前記階段側板の間に設けられる踏板を有し、前記本体の内側の対向する位置であって前記底板の前記平行な二辺に位置する各側板に対し設けられ、前記本体の内部への人の出入りを可能とする階段と、
を備えることを特徴とする水上浮揚型避難設備。
【考案の詳細な説明】
【技術分野】
【０００１】
本考案は、平時は地表面上に設置されており、津波や洪水等の水害が発生した際に水上に浮揚して人命を保護する水上浮揚型避難設備に関する。
【背景技術】
【０００２】
従来、津波や洪水等の水害発生時に住民が避難するための津波シェルターが提案されている（例えば、特許文献１を参照。）。
【０００３】
特許文献１に記載された津波シェルターは、鋼板を折り曲げ溶接した多面体構造の上部カプセルと、概ね枡形で鋼板を折り曲げ溶接して両側を斜めに構成した下部カプセルとで構成され、上部カプセルの周縁部と下部カプセルの周縁部がボルトとナットで固定されて内部に避難用空間が設けられるものである。
【０００４】
特許文献１に記載された津波シェルターは、平時は地表面上に設置されており、津波が押し寄せた際に水上に浮揚することで、地震発生時に当該シェルターに避難した人の命を救うことができる。
【０００５】
ところで、特許文献１に記載された津波シェルターは、フレーム（骨格部材）を用いることなく、上部カプセルに多面体構造を採用することで剛性を高めるものであり、安価に提供することができる。
【０００６】
しかしながら、特許文献１に記載された津浪シェルターは、避難した人を収容する本体部分である下部カプセルの強度が十分でなく、水の衝撃により簡単に破壊されてしまう虞がある。
【先行技術文献】
【特許文献】
【０００７】
【特許文献１】特開２０１５−２１７９３２号公報
【考案の概要】
【考案が解決しようとする課題】
【０００８】
そこで、本考案は、船舶のフレーム（骨格部材）のような強度構造を用いることなく、避難した人を収容する本体部分の強度を確保することができる水上浮揚型避難設備を提供することを目的とする。
【課題を解決するための手段】
【０００９】
上記目的を達成するため、請求項１に係る考案の水上浮揚型避難設備は、連結式の水上浮揚型避難設備であって、
矩形状の底板、前記底板の対向する二辺に位置する一対の第１側板、前記底板の他の対向する二辺に位置する一対の第２側板を有し、前記底板、前記第１側板及び前記第２側板に囲まれて人を収容可能な空間を内部に有する本体と、
前記本体の前記第１側板及び前記第２側板の板厚よりも幅広の板材であって、前記第１側板及び前記第２側板の上端にＴ字状又はＬ字状に固定される枠板と、
前記本体の前記底板の上面及び前記第１側板の内面に固定される複数の階段側板、複数の前記階段側板の間に設けられる踏板を有し、前記本体の内側の対向する位置であって各第１側板に対し設けられ、前記本体の内部への人の出入りを可能とする階段と、
を備える水上浮揚型避難設備単体を複数並設してなり、
第１側板同士が隣接する状態で、複数の前記水上浮揚型避難設備単体を連結して一体とすることを特徴とするものである。
【００１０】
請求項２に係る考案の水上浮揚型避難設備は、請求項１記載の連結式の水上浮揚型避難設備であって、
複数の前記水上浮揚型避難設備単体は、
前記階段の前記階段側板が、前記底板の上面、前記第１側板の内面、及び前記第１側板の上端に固定され該第１側板から前記本体の内側へ庇状に突出する前記枠板の下面に固定されるものである。
【００１１】
請求項３に係る考案の水上浮揚型避難設備は、請求項１又は２記載の連結式の水上浮揚型避難設備であって、
複数の前記水上浮揚型避難設備単体は、前記本体がいずれも二重底構造であり、前記本体の前記底板は内底板である。
【００１２】
請求項４に係る考案の水上浮揚型避難設備は、請求項１乃至３のいずれかに記載の連結式の水上浮揚型避難設備であって、
複数の前記水上浮揚型避難設備単体を連結して一体とした後の四隅であって前記枠板上には棒材を立設し、前記本体の外周であって各側板の外面には前記枠板に平行に手摺を設けてなるものである。
【００１３】
また、上記目的を達成するため、請求項５に係る考案の水上浮揚型避難設備は、
平行な二辺を有する底板、前記底板の前記平行な二辺に位置する一対の側板、前記底板の前記平行な二辺以外の側縁に位置する側板を有し、前記底板及び前記各側板に囲まれて人を収容可能な空間を内部に有する本体と、
前記本体の前記各側板の板厚よりも幅広の板材であって、前記各側板の上端にＴ字状又はＬ字状に固定される枠板と、
前記本体の前記底板の上面及び前記底板の前記平行な二辺に位置する前記側板の内面に固定される複数の階段側板、複数の前記階段側板の間に設けられる踏板を有し、前記本体の内側の対向する位置であって前記底板の前記平行な二辺に位置する各側板に対し設けられ、前記本体の内部への人の出入りを可能とする階段と、
を備えることを特徴とするものである。
【００１４】
各請求項に係る考案の水上浮揚型避難設備は、
本体、枠板、及び階段を構成する各部材が、アルミニウム合金製の金属板で形成されることが好ましい。
【考案の効果】
【００１５】
請求項１に係る考案の水上浮揚型避難設備は、複数の水上浮揚型避難設備単体のそれぞれが、第１側板及び第２側板の上端にＴ字状又はＬ字状に固定される枠板と、本体の内側の対向する位置であって各第１側板に対し設けられる階段を備えるので、船舶のフレーム（骨格部材）のような強度構造を用いることなく、避難した人を収容する本体（本体部分）の強度（縦強度・横強度）を確保することができる。
【００１６】
請求項１に係る考案の水上浮揚型避難設備は、各水上浮揚型避難設備単体が、フレーム（骨格部材）を用いることなく強度を確保できるので、安価に提供することができる。
【００１７】
請求項１に係る考案の水上浮揚型避難設備は、各水上浮揚型避難設備単体が、本体の上方を開放することとすれば視認性が良好となるため、水害発生時に水上に浮揚した際に、避難した人が棒材等を操ることで障害物等への衝突を回避することができる。
【００１８】
請求項１に係る考案の水上浮揚型避難設備は、複数の水上浮揚型避難設備単体を連結して一体とする連結式の水上浮揚型避難設備であるので、設置場所までは単体の状態とすることで運搬が容易となり、設置場所において連結した状態とすることで幅広構造となって水害発生時に転覆しにくくなる。
【００１９】
請求項２に係る考案の水上浮揚型避難設備は、各水上浮揚型避難設備単体のそれぞれが、前記階段の階段側板が、底板の上面、第１側板の内面、及び第１側板の上端に固定され該第１側板から本体の内側へ庇状に突出する枠板の下面に固定されるので、前記本体の強度を高めることができる。
【００２０】
請求項３に係る考案の水上浮揚型避難設備は、各水上浮揚型避難設備単体のそれぞれが本体を二重底構造とするので、本体の内部の人を収容する空間が水浸しになっても沈没を防ぐことができる。
【００２１】
請求項４に係る考案の水上浮揚型避難設備は、複数の水上浮揚型避難設備単体を連結して一体とした後の四隅であって枠板上に棒材を立設するので、例えば弛んだ架線を引っ掛けるなどすることで、当該設備に避難した人に対し危害が及ぶことを回避することができる。
【００２２】
請求項４に係る考案の水上浮揚型避難設備は、複数の水上浮揚型避難設備単体を連結して一体とした後の本体の外周であって各側板の外面に手摺を設けるので、水中を漂流する人が捕まることができる。また、前記手摺は平時に雨よけ用のテントを括りつけるなどして活用することができる。
【００２３】
請求項５に係る考案の水上浮揚型避難設備は、側板の上端にＴ字状又はＬ字状に固定される枠板と、本体の内側の対向する位置であって底板の平行な二辺に位置する各側板に対し設けられる階段を備えるので、船舶のフレーム（骨格部材）のような強度構造を用いることなく、避難した人を収容する本体（本体部分）の強度（縦強度・横強度）を確保することができる。
【００２４】
各請求項に係る考案の水上浮揚型避難設備は、本体、枠板、及び階段を構成する各部材が、アルミニウム合金製の金属板で形成されることとすれば、軽量で錆びにくく、また大きな浮力を得ることができる。
【図面の簡単な説明】
【００２５】
【図１】本考案の実施の形態における連結式の水上浮揚型避難設備の概略斜視図。
【図２】図１の水上浮揚型避難設備の平面図。
【図３】図２のＡ−Ａ断面図。
【図４】図２のＢ−Ｂ断面図。
【図５】図１の水上浮揚型避難設備の応用例の説明図。
【図６】本考案の他の実施の形態における水上浮揚型避難設備の概略斜視図。
【考案を実施するための形態】
【００２６】
本考案の実施の形態を図面に基づいて説明する。
図１は本考案の実施の形態における連結式の水上浮揚型避難設備の概略斜視図を示す。図２は図１の水上浮揚型避難設備の平面図を示す。図３は図２のＡ−Ａ断面図を示す。図４は図２のＢ−Ｂ断面図を示す。
【００２７】
本考案の実施の形態における水上浮揚型避難設備１は、略同じ構造をもつ箱型の２つの水上浮揚型避難設備単体２，３を連結して一体とした連結式の水上浮揚型避難設備である。ここでは、第１水上浮揚型避難設備単体２について説明することとし、第２水上浮揚型避難設備単体３についての説明は省略する。
【００２８】
第１水上浮揚型避難設備単体２は、矩形状の外底板２１、前記外底板２１の対向する二辺であって長手方向に伸びる二辺に溶接等で固定される一対の側板２３、前記外底板２１の他の対向する二辺であって短手方向（幅方向）に伸びる二辺に溶接等で固定される一対の屈折する端板２４を有する。
【００２９】
前記第１水上浮揚型避難設備単体２は、前記各側板２３と前記各端板２４の各側縁が溶接等で固定されて箱型の外観を呈する本体２５を有する。
【００３０】
前記第１水上浮揚型避難設備単体２は、前記本体２５の内部であって前記各端板２４の屈折する位置に前記外底板２１よりも若干長い矩形状の内底板２２を有する。前記内底板２２は、各辺において前記各側板２３及び前記各端板２４に溶接等により固定される。
【００３１】
前記第１水上浮揚型避難設備単体２は、前記本体２５が二重底構造であって、前記本体２５の内部には、前記内底板２２、前記各側板２３及び前記各端板２４に囲まれて人を収容可能な略枡形の空間を有する。
【００３２】
また、前記第１水上浮揚型避難設備単体２は、前記側板２３及び前記端板２４の板厚よりも幅広の板材であって、一対の前記側板２３及び一対の前記端板２４の上端に断面視でＴ字状又はＬ字状に固定され、前記各側板２３及び前記各端板２４から前記本体２５の内側へ庇状に突出する枠板２６を備える。
【００３３】
さらに、前記第１水上浮揚型避難設備単体２は、前記内底板２２の上面、前記側板２３の内面、前記本体２５の内側へ突出する前記枠板２６の下面に固定される一組の階段側板２７、一組の前記階段側板２７の間に設けられる複数の踏板２８を有する階段２９を備える。
【００３４】
前記階段２９は、前記本体２５の内側の対向する位置であって各側板２３に対し一対が設けられ、前記各側板２３の側からの前記本体２５の内部への人の出入りを可能とする。
【００３５】
ここで、前記第１水上浮揚型避難設備単体２は、前記本体２５、前記枠板２６及び前記階段２９をアルミニウム合金製の金属板で形成することが好ましい。前記本体２５、前記枠板２６及び階段２９がアルミニウム合金製の金属板で形成されることとすれば、軽量で錆びにくく、また大きな浮力を得ることができる。
【００３６】
本考案の実施の形態における水上浮揚型避難設備１は、前記第１水上浮揚型避難設備単体２と前記第２水上浮揚型避難設備単体３が並置され、それぞれの側板が隣接する状態でボルト・ナットにより連結して一体とされる。
【００３７】
そして、前記水上浮揚型避難設備１は、平時は地表面上に設置されており、例えば地震が発生した際、住民が前記本体２５内部の空間に避難し、津波が押し寄せた際に水上に浮揚することで、人命を保護することができる。
【００３８】
前記各水上浮揚型避難設備単体２，３の寸法は、一例として、長さ７．４４ｍ、幅２．３ｍ、高さ（深さ）１．３ｍ、二重底の高さ０．３５ｍとすることができる。前記各水上浮揚型避難設備単体２，３を連結した後の水上浮揚型避難設備１は、長さ７．４４ｍ、幅４．６ｍ、高さ１．３ｍとなり、水上に浮揚した際に転覆しにくい寸法となる。
【００３９】
本考案の実施の形態における水上浮揚型避難設備１は、各水上浮揚型避難設備単体２，３のそれぞれが、各側板２３の上端にＴ字状又はＬ字状に固定される枠板２６と、本体２５の内側の対向する位置であって各側板２３に対し設けられる階段２９を備えるので、船舶のフレーム（骨格部材）のような強度構造を用いることなく、避難した人を収容する本体２５の強度（縦強度・横強度）を確保することができる。
【００４０】
特に、前記水上浮揚型避難設備１は、各水上浮揚型避難設備単体２，３のそれぞれにおいて、前記階段２９の前記階段側板２７が、内底板２２の上面、側板２３の内面、本体２５の内側へ突出する枠板２６の下面に固定されるので、前記本体２５の強度を向上することができる。
【００４１】
また、前記水上浮揚型避難設備１は、２つの水上浮揚型避難設備単体２，３を連結して一体とする連結式の水上浮揚型避難設備であるので、設置場所までは単体の状態とすることで運搬が容易となり、設置場所において連結した状態とすることで幅広構造となって水害発生時に転覆しにくくなる。
【００４２】
前記水上浮揚型避難設備１は、各水上浮揚型避難設備単体２，３が、フレーム（骨格部材）を用いることなく強度を確保できるので、安価に提供することができる。
【００４３】
また、前記水上浮揚型避難設備１は、各水上浮揚型避難設備単体２，３が、本体２５の上方を開放することで視認性が良好となるため、水害発生時に水上に浮揚した際に、避難した人が棒材等を操ることで障害物等への衝突を回避することができる。
【００４４】
前記水上浮揚型避難設備１は、各水上浮揚型避難設備単体２，３のそれぞれの本体２５が二重底構造であるため、前記本体２５の内部の人を収容する空間が水浸しになっても沈没を防ぐことができる。
【００４５】
図５は図１の水上浮揚型避難設備の応用例の説明図を示す。
本考案の実施の形態における水上浮揚型避難設備１は、２つの水上浮揚型避難設備単体２，３を連結して一体とした後の少なくとも四隅であって前記枠板２６上にパイプ等の棒材４１を立設することができる。
【００４６】
また、前記水上浮揚型避難設備１は、２つの水上浮揚型避難設備単体２，３を連結して一体とした後の本体の外周であって側板２３及び端板２４の外面に前記枠板２６に平行に手摺４２を設けることができる。
【００４７】
本考案の実施の形態における水上浮揚型避難設備１は、少なくとも前記四隅であって前記枠板２６上に棒材４１を立設することとすれば、例えば弛んだ架線を引っ掛けるなどすることで、当該設備に避難した人に対し危害が及ぶことを回避することができる。
【００４８】
また、前記水上浮揚型避難設備１は、本体の外周であって側板２３及び端板２４の外面に前記枠板２６に平行に手摺４２を設けることとすれば、水中を漂流する人が捕まることができる。前記手摺４２は平時には雨よけ用のテントを括りつけるなどして活用することができる。
なお、前記水上浮揚型避難設備１は、前記各枠板２６上に図示しない安全用の手摺を設けることもできる。
【００４９】
上記本考案の実施の形態における水上浮揚型避難設備１は、２つの水上浮揚型避難設備単体２，３を連結して一体とした連結式の水上浮揚型避難設備であるが、３つ以上の水上浮揚型避難設備単体２，３を連結して一体とした連結式の水上浮揚型避難設備とすることもできる。
また、上記水上浮揚型避難設備単体２，３を、単独で水上浮揚型避難設備として使用することもできる。
【００５０】
図６は本考案の他の実施の形態における水上浮揚型避難設備の概略斜視図を示す。
図６に示す水上浮揚型避難設備１０１は、図１に示す水上浮揚型避難設備１における各水上浮揚型避難設備単体２，３と形状において相違する。
【００５１】
本考案の他の実施の形態における水上浮揚型避難設備１０１は、本体１２５が二重底構造であって、長手方向に伸びる平行な二辺を有する同じ形状の外底板及び内底板を有する。
前記本体１２５は、前記外底板及び前記内底板の前記平行な二辺に位置する側板１２３、前記外底板及び前記内底板の前記平行な二辺以外の側縁に位置する側板１２４を有し、前記内底板及び前記各側板１２３，１２４に囲まれて人を収容可能な空間を内部に有する。
【００５２】
前記水上浮揚型避難設備１０１は、前記各側板１２３，１２４の板厚よりも幅広の板材であって、前記各側板１２３，１２４の上端に断面視でＴ字状又はＬ字状に固定され、前記各側板１２３，１２４から前記本体１２５の内側へ庇状に突出する枠板１２６を備える。
【００５３】
そして、前記水上浮揚型避難設備１０１は、前記内底板の上面、前記内底板の前記平行な二辺に位置する側板１２３の内面及び前記本体１２５の内側へ突出する前記枠板１２６の下面に固定される一組の階段側板１２７、一組の前記階段側板１２７の間に設けられる複数の踏板１２８を有する階段１２９を備える。
【００５４】
前記階段１２９は、前記本体１２５の内側の対向する位置であって前記内底板の前記平行な二辺に位置する各側板１２３に対し一対が設けられ、前記各側板１２３の側からの前記本体１２５の内部への人の出入りを可能とする。
【００５５】
本考案の他の実施の形態における水上浮揚型避難設備１０１は、平時は地表面上に単体で設置されており、例えば地震が発生した際、住民が前記本体１２５内部に避難し、津波が押し寄せた際に水上に浮揚することで、人命を保護することができる。
【００５６】
なお、前記水上浮揚型避難設備１０１は、図１に示す水上浮揚型避難設備１のように複数を連結して一体とした連結式の水上浮揚型避難設備単体として使用することもできる。
【００５７】
本考案は、上記実施の形態に限るものでなく、考案の範囲を逸脱しない限りにおいてその構成を適宜変更できることはいうまでもない。
【産業上の利用可能性】
【００５８】
本考案の水上浮揚型避難設備は、船舶のフレーム（骨格部材）のような強度構造を用いることなく、避難した人を収容する本体部分の強度を確保することができるものであり、安価に提供できるため、津波や洪水等の水害発生時に水上に浮揚して人命を保護する水上浮揚型避難設備として極めて有用である。
【符号の説明】
【００５９】
１      水上浮揚型避難設備
２      第１水上浮揚型避難設備単体
２１      外底板
２２      内底板
２３      側板（第１側板）
２４      端板（第２側板）
２５      本体
２６      枠板
２７      階段側板
２８      踏板
２９      階段
３      第２水上浮揚型避難設備単体
４１      棒材
４２      手摺
１０１      水上浮揚型避難設備
１２３      側板
１２４      側板
１２５      本体
１２６      枠板
１２７      階段側板
１２８      踏板
１２９      階段
【図１】
0003213339.tif 000003
【図２】
0003213339.tif 000004
【図３】
0003213339.tif 000005
【図４】
0003213339.tif 000006
【図５】
0003213339.tif 000007
【図６】
0003213339.tif 000008